(57)【要約】【課題】撮影時に発光を停止することなく、また構造的な付加物を要することなく、表示部の表示面側に位置する観察者（被写体）を撮影する技術が望まれていた。【解決手段】ビデオカメラ５のレンズ２と平面的に重なる範囲内において、発光画素間に位置する１画素分の非発光画素のうち少なくとも１つに、表示面側から背面側に光が透過する透過領域を形成する。言い換えれば、非発光画素の画素領域に透過領域を形成するので、発光画素が減少することなく表示パネルに光の透過領域を設けることができる。従って、撮像装置の前面に位置する画素の発光を停止することがなく表示面全面において画像を一様に表示しながら、表示部の表示面側に位置する観察者（被写体）を、表示部を透して撮影することができる。また、構造的な付加物も不要である。【選択図】図３
2010230797.tif 000002
【特許請求の範囲】
【請求項１】
発光する発光領域と、発光しない非発光領域とが、第１の方向および当該第１の方向と交差する第２の方向について交互に繰り返して形成された表示面を有する表示部と、
前記表示部の前記表示面と反対側の背面に配置され、前記表示面側に位置する被写体を撮影する撮像装置と、を備え、
前記表示部は、前記繰り返して形成された前記非発光領域の少なくとも１つに、前記表示面側から前記背面側に光が透過する透過領域が形成され、
前記撮像装置は、前記透過領域を透過する光を用いて、前記被写体を撮影することを特徴とする表示装置。
【請求項２】
請求項１に記載の表示装置であって、
前記発光領域は、赤、緑、青のうちのいずれかの色を発光して、前記表示面にカラー画像を表示する画素であることを特徴とする表示装置。
【請求項３】
請求項１に記載の表示装置であって、
前記発光領域は、赤、緑、青のそれぞれの色を発光する３つのサブ画素が、前記第１の方向もしくは前記第２の方向のうち少なくとも一方向に所定の前記色の順序で並んで配列された画素であることを特徴とする表示装置。
【請求項４】
発光領域が第１の方向および当該第１の方向と交差する第２の方向にそれぞれ並んで形成された表示面を有する表示部と、
前記表示部の前記表示面と反対側の背面に配置され、前記表示面側に位置する被写体を撮影する撮像装置と、を備え、
前記発光領域の少なくとも一部に、前記表示面側から前記背面側に光が透過する透過領域が、前記第１の方向および前記第２の方向において隣接しないように分散配置されて形成され、
前記撮像装置は、前記透過領域を透過する光を用いて、前記被写体を撮影することを特徴とする表示装置。
【請求項５】
請求項４に記載の表示装置であって、
前記発光領域は、赤、緑、青のうちのいずれかの色を発光して、前記表示面にカラー画像を表示する画素であることを特徴とする表示装置。
【請求項６】
請求項４に記載の表示装置であって、
前記発光領域は、赤、緑、青のそれぞれの色を発光する３つのサブ画素が、前記第１の方向もしくは前記第２の方向のうち少なくとも一方向に所定の前記色の順序で並んで配列された画素であることを特徴とする表示装置。
【請求項７】
請求項６に記載の表示装置であって、
前記透過領域は、前記発光領域において、前記３つのサブ画素が並ぶ方向に隣り合うとともに、同一の領域面積で形成されていることを特徴とする表示装置。
【請求項８】
請求項４ないし７のいずれか一項に記載の表示装置であって、
前記発光領域の発光輝度を制御する制御回路を備え、
前記制御回路は、前記透過領域が形成された前記発光領域の発光色と同じ発光色を有し、前記透過領域と隣り合う少なくとも１つの発光領域の発光輝度を上昇させるように制御することを特徴とする表示装置。
【請求項９】
請求項４ないし７のいずれか一項に記載の表示装置であって、
前記発光領域の発光輝度を制御する制御回路を備え、
前記制御回路は、前記第１の方向の正逆方向、および前記第２の方向の正逆方向の４方向のうち、少なくとも２方向が前記透過領域によって囲まれた前記発光領域の発光輝度を上昇させるように制御することを特徴とする表示装置。
【請求項１０】
請求項１ないし９のいずれか一項に記載の表示装置であって、
前記撮像装置は、前記表示部の背面と密接して配置されていることを特徴とする表示装置。
【請求項１１】
請求項１０に記載の表示装置であって、
前記表示部は、前記撮像装置の配置位置と平面的に重ならない領域に、前記背面からの光が前記表示面に透過しないように遮光する遮光手段が設けられていることを特徴とする表示装置。
【請求項１２】
請求項１ないし１１のいずれか一項に記載の表示装置を備えた電子機器。
【発明の詳細な説明】
【技術分野】
【０００１】
本発明は、表示装置、およびこの表示装置を備えた電子機器に関する。
【背景技術】
【０００２】
従来、ＴＶ会議やＴＶ電話において、コミュニケーション上の違和感を抑制するため、表示部に表示される相手の顔の視線が、表示部を見る観察者の視線と一致する状態（アイコンタクトした状態）とするための技術が提案されている。その一つとして、例えば、特許文献１は、表示部となるプラズマディスプレイの画素の一部を光透過性とし、この光透過性の部分を透過する光を用いて観察者をカメラで撮影する技術が開示されている。
【先行技術文献】
【特許文献】
【０００３】
【特許文献１】特開２００４−１４５００８号公報
【発明の概要】
【発明が解決しようとする課題】
【０００４】
しかしながら、特許文献１に開示された技術は、具体的に画素を区画するための隔壁を光透過性とするものである。そのため、この部分に画素の発光光が入り込み、カメラ内の撮像素子にかぶる状態を生じないように、ルーバーをつけるなど構造物を付加したり、撮影時にカメラの前に位置する画素の発光を停止したりするものである。このため、表示部が複雑になりコストアップするという課題があった。また、カメラの前に位置する画素の発光を停止すると、画像を表示するための画素が減少し、画像品質が低下してしまうという課題がある。また、特許文献１には、画素に光透過性の部分を形成することも言及されているが、これについては表示に影響を与えることも課題として示唆されている。従って、撮影時に発光を停止することなく、また構造的な付加物を要することなく、表示部の表示面側に位置する観察者（被写体）を撮影する技術が望まれていた。
【課題を解決するための手段】
【０００５】
本発明は、上述の課題の少なくとも一部を解決するためになされたものであり、以下の形態または適用例として実現することが可能である。
【０００６】
［適用例１］発光する発光領域と、発光しない非発光領域とが、第１の方向および当該第１の方向と交差する第２の方向について交互に繰り返して形成された表示面を有する表示部と、前記表示部の前記表示面と反対側の背面に配置され、前記表示面側に位置する被写体を撮影する撮像装置と、を備え、前記表示部は、前記繰り返して形成された前記非発光領域のうち少なくとも１つに、前記表示面側から前記背面側に光が透過する透過領域が形成され、前記撮像装置は、前記透過領域を透過する光を用いて、前記被写体を撮影することを特徴とする表示装置。
【０００７】
この構成によれば、非発光領域に透過領域を形成するので、表示面における発光領域が減少することなく、表示面側から背面側に光を透過する領域を設けることができる。従って、撮像装置の前面に位置する発光領域の発光を停止することがなく、また、構造的な付加物もなく、表示部の表示面側に位置する観察者（被写体）を、表示部を透して撮影することができる。
【０００８】
［適用例２］上記表示装置であって、前記発光領域は、赤、緑、青のうちのいずれかの色を発光して、前記表示面にカラー画像を表示する画素であることを特徴とする。
【０００９】
この構成によれば、カラー画像を表示面に表示する表示部を透して、被写体の画像を撮影することができる。
【００１０】
［適用例３］上記表示装置であって、前記発光領域は、赤、緑、青のそれぞれの色を発光する３つのサブ画素が、前記第１の方向もしくは前記第２の方向のうち少なくとも一方向に所定の前記色の順序で並んで配列された画素であることを特徴とする。
【００１１】
この構成によれば、赤、緑、青の各色のサブ画素が隣り合って３つ並んだ発光領域間に位置する非発光領域を透過領域とするので、カラー画像を表示面に表示する表示部を透して、第１の方向と第２の方向とでほぼ同じ解像度を有するように被写体の画像を撮影できる確率が高くなる。
【００１２】
［適用例４］発光領域が第１の方向および当該第１の方向と交差する第２の方向にそれぞれ並んで形成された表示面を有する表示部と、前記表示部の前記表示面と反対側の背面に配置され、前記表示面側に位置する被写体を撮影する撮像装置と、を備え、前記発光領域の少なくとも一部に、前記表示面側から前記背面側に光が透過する透過領域が、前記第１の方向および前記第２の方向において隣接しないように分散配置されて形成され、前記撮像装置は、前記透過領域を透過する光を用いて、前記被写体を撮影することを特徴とする表示装置。
【００１３】
この構成によれば、発光領域の少なくとも一部において透過領域が分散するように透過領域を配置形成するので、例えば、撮像装置の前に位置する発光領域の発光を停止させることなく、表示部を透して被写体を撮影することができる。
【００１４】
［適用例５］上記表示装置であって、前記発光領域は、赤、緑、青のうちのいずれかの色を発光して、前記表示面にカラー画像を表示する画素であることを特徴とする。
【００１５】
この構成によれば、カラー画像を表示面に表示する表示部を透して、被写体の画像を撮影することができる。
【００１６】
［適用例６］上記表示装置であって、前記発光領域は、赤、緑、青のそれぞれの色を発光する３つのサブ画素が、前記第１の方向もしくは前記第２の方向のうち少なくとも一方向に所定の前記色の順序で並んで配列された画素であることを特徴とする。
【００１７】
この構成によれば、赤、緑、青のそれぞれの発光色のサブ画素が隣り合って３つ並んだ発光領域に透過領域を形成するので、カラー画像を表示面に表示する表示部を透して、第１の方向と第２の方向とでほぼ同じ解像度を有するように被写体の画像を撮影できる確率が高くなる。
【００１８】
［適用例７］上記表示装置であって、前記透過領域は、前記発光領域において、前記３つのサブ画素が並ぶ方向に隣り合うとともに、同一の領域面積で形成されていることを特徴とする。
【００１９】
この構成によれば、赤、緑、青のそれぞれの発光色を有する３つのサブ画素について、同一面積で発光領域が減少するので、表示面に表示するカラー画像のホワイトバランスが崩れるリスクを回避することができる。
【００２０】
［適用例８］上記表示装置であって、前記発光領域の発光輝度を制御する制御回路を備え、前記制御回路は、前記透過領域が形成された前記発光領域の発光色と同じ発光色を有し、前記透過領域と隣り合う少なくとも１つの発光領域の発光輝度を上昇させるように制御することを特徴とする。
【００２１】
この構成によれば、透過領域の形成に伴って減少する発光色の輝度を容易に補正することができる。
【００２２】
［適用例９］上記表示装置であって、前記発光領域の発光輝度を制御する制御回路を備え、前記制御回路は、前記第１の方向の正逆方向、および前記第２の方向の正逆方向の４方向のうち、少なくとも２方向が前記透過領域によって囲まれた前記発光領域の発光輝度を上昇させるように制御することを特徴とする。
【００２３】
この構成によれば、透過領域と隣り合う発光領域によって発光輝度を補正するので、輝度補正を適切に行う確率が高くなる。
【００２４】
［適用例１０］上記表示装置であって、前記撮像装置は、前記表示部の背面と密接して配置されていることを特徴とする。
【００２５】
この構成によれば、表示部に形成された透過領域の形状が撮影装置内で結像することなく、デフォーカス状態となることから、透過領域の形状に関わらず通過する光によって、被写体の画像を撮影することができる。
【００２６】
［適用例１１］上記表示装置であって、前記表示部は、前記撮像装置の配置位置と平面的に重ならない領域に、前記背面からの光が前記表示面に透過しないように遮光する遮光手段が設けられていることを特徴とする。
【００２７】
背面に撮影装置が密着する領域では、背面からの外光が遮光されるので、透過領域は黒表示となる。そこで、表示面において、背面に配置された撮影装置の領域以外の領域において透過領域が存在する場合は、このように背面からの光を遮蔽することによって、表示面全体を同じ表示状態とすることができる。
【００２８】
［適用例１２］上記表示装置を備えた電子機器。
【００２９】
この構成によれば、表示部を透して被写体の画像を撮影することができるので、アイコンタクトを実現できる電子機器を提供することができる。
【図面の簡単な説明】
【００３０】
【図１】本実施形態となる表示装置の構成概要を示す模式図。
【図２】第１実施例の表示パネルのレイアウトを、回路構成とともに示した模式図。
【図３】第１実施例における透過領域の形成具合を説明する図。
【図４】発光画素と、非発光画素および透過領域についての構成を示す模式図で、（ａ）は平面図、（ｂ）は断面図。
【図５】第１実施例の変形例で、発光画素と非発光画素の配列具合を示す図。
【図６】第２実施例の表示パネルのレイアウトを、回路構成とともに示した模式図。
【図７】（ａ）は第２実施例における透過領域の形成具合を説明する図、（ｂ）は発光輝度を上昇させる発光画素の説明図。
【図８】（ａ）は第２実施例の第１変形例における透過領域の形成具合を説明する図、（ｂ）は発光輝度を上昇させる発光絵素の説明図。
【図９】第２実施例の第２変形例で、（ａ）は透過領域の形成具合を説明する平面図、（ｂ）は断面図。
【図１０】第２実施例の第２変形例において、（ａ）、（ｂ）とも発光輝度を上昇させる発光画素の説明図。
【図１１】第２実施例の第３変形例で、（ａ）は透過領域の形成具合を説明する図、（ｂ）は発光輝度を上昇させる発光絵素の説明図。
【図１２】第２実施例の第４変形例で、（ａ）、（ｂ）とも透過領域の形成具合を説明する平面図。
【図１３】本実施形態の変形例を示す説明図。
【発明を実施するための形態】
【００３１】
以下、本発明を実施形態に基づいて説明する。図１は、本発明を具現化した一実施形態となる表示装置の構成概要を示す模式図である。なお、図１を含め、以降本実施形態の説明に際して用いる図面は、説明のために必要に応じて誇張して図示している場合もあり、必ずしも実際の大きさや長さを示すものでないことは言うまでもない。
【００３２】
本実施形態の表示装置１は、発光素子が設けられた画素を複数形成してなる表示面を有する表示部としての表示パネル１００と、この表示パネル１００の表示面側と反対側の背面側に設置された撮像装置としてのビデオカメラ５と、制御回路８とを備えている。
【００３３】
制御回路８は、表示装置１に入力される表示画像信号を、各画素に形成された発光素子を所定の発光輝度で発光させるための駆動信号に変換して、表示パネル１００に対して出力する。表示パネル１００では、駆動信号に基づいて各画素に設けられた発光素子を駆動し、表示面に画像を表示する。ビデオカメラ５は、表示面に表示された画像を観る観察者を被写体として撮影し、撮影した画像を撮影画像信号として出力する。このとき、表示パネル１００を表示面側から背面側に透過する光をレンズ２で集光し、ＣＣＤなどの撮像素子３に結像させて、観察者を撮影する。このような構成によって、表示装置１は、前述したように、アイコンタクトを可能にすることができる表示装置となる。
【００３４】
さて、アイコンタクトが可能な本実施形態の表示装置１では、表示パネル１００の表示面に透過領域を形成することで、表示面側から背面側に光を透過させる。そして、透過領域が形成された表示面領域に表示される画像が、その他の表示面領域に表示される画像に対して視覚上の差異が少なくなるように透過領域を形成したものである。以下、本実施形態の表示装置１に備えられ、透過領域が形成された表示パネル１００について、２つの実施例を用いて説明する。なお、本実施形態の表示パネル１００は、発光素子として有機ＥＬ素子を形成した有機ＥＬパネルであるものとする。
【００３５】
（第１実施例）
まず、第１実施例について図を参照しながら説明する。図２は、本実施例の表示パネル１００の全体のレイアウトを、回路構成とともに示した模式図である。本実施例では、図２に示したように、基板１０は矩形形状を有するものとする。そして、基板１０の一辺に沿う方向のうち図面横方向である行方向を第１の方向とし、図面縦方向である列方向を第２の方向とする。
【００３６】
表示パネル１００の基板１０上には、列方向に長手方向を有する略矩形形状であって、行方向において一列置き、列方向において一行置きに、それぞれ陽極１３０が形成されている。そして、陽極１３０上に有機ＥＬ素子（不図示）と陰極１７０（図中二点鎖線）とが順に積層形成され、発光領域が形成されている。そして、この基板１０と、それぞれの発光領域を覆うように平面的に重ねて配置されたカラーフィルター（不図示）とによって表示パネル１００が構成され、その表示面には、行方向についてその発光色が所定の色順で繰り返して存在する発光画素が形成されている。なお、本実施例では、行方向について発光色が赤（Ｒ）、青（Ｂ）、緑（Ｇ）の順で発光画素が形成されている。
【００３７】
ところで、図２に示した表示パネル１００においては、列方向に４画素分（４行分）、行方向９画素分（９列分）の画素を図示しているが、これは説明を簡略化するためであって、もとより、通常、行列それぞれの方向に数百画素ないし数千画素といった多くの画素が形成されることは言うまでもない。
【００３８】
さて、表示パネル１００には、発光画素ごとに、有機ＥＬ素子を発光駆動するための駆動素子が形成されている。駆動素子は、図２に示すように、ＴＦＴ（薄膜トランジスター）１４，１５と保持容量１６とから構成されている。なお、表示パネル１００はトップエミッション構造を有しているものとする。従って、駆動素子は、陽極１３０と平面的に重なる位置であって、陽極１３０に対して基板１０側に形成されている。
【００３９】
基板１０の端部には、走査線駆動回路１１とデータ線駆動回路１２、および給電端子１３とが形成されている。これらの回路は、駆動信号により動作し、有機ＥＬ素子を発光駆動する。すなわち、走査線駆動回路１１からは走査線Ｇａｔｅが、データ線駆動回路１２からはデータ線Ｓｉｇが、また、給電端子１３からはこれに接続された電源供給線Ｃｏｍが、それぞれ画素に形成された駆動素子に対して図示したように配線され、有機ＥＬ素子を発光駆動する。
【００４０】
具体的に説明すると、まず、走査線Ｇａｔｅは、ＴＦＴ１４のゲートに接続され、走査線Ｇａｔｅを介して供給される電流信号に応じて、ＴＦＴ１４をオン／オフ制御する。そしてＴＦＴ１４がオンすると、ＴＦＴ１４のソースに接続されたデータ線Ｓｉｇから供給される画像信号に応じて電源供給線Ｃｏｍから電源が供給され、保持容量１６に所定の電圧が保持される。すると、保持容量１６に保持された電圧は、ＴＦＴ１５のゲートに印加され、ＴＦＴ１５をオン状態にする。ＴＦＴ１５のソースおよびドレインはそれぞれ電源供給線Ｃｏｍと陽極１３０に接続され、保持容量１６に保持された電圧に応じた、つまり画像信号に応じた電流が、電源供給線Ｃｏｍを介して陽極１３０に印加される。走査線Ｇａｔｅは、電流信号が供給される線が列方向に順次選択され、発光素子を一行ずつ発光させて表示面に画像を表示する。
【００４１】
各画素に形成される有機ＥＬ素子は、陽極１３０が形成された領域の表面に渡って形成された陰極１７０との間に電流を流すことによって発光する。従って、各発光画素の陽極１３０に印加する電流を変化させることによって、発光画素の輝度を画像表示信号に応じた明るさに制御することができる。なお陰極１７０は、外周端部において接地されている。
【００４２】
さて、本実施例の表示パネル１００は、図２に示すように、駆動素子が形成された画素が、行方向および列方向において隣り合わないように、１画素に相当する領域分の間隔を空けて形成された市松模様の表示面を有している。従って、表示面は、行方向および列方向のそれぞれにおいて、発光する発光画素と発光しない非発光画素とが繰返して配列された状態を呈する。
【００４３】
このように表示面に発光画素が配列された表示パネル１００において、本実施例では、図３に示したように透過領域を形成する。すなわち、発光画素間に位置する１画素分の非発光画素のうち少なくとも１つに、表示面側から背面側に光が透過する透過領域を形成するのである。言い換えれば、非発光画素の画素領域に透過領域を形成するので、発光画素が減少することなく表示パネル１００に光の透過領域を設けることができる。
【００４４】
このとき、透過領域を透過する光がビデオカメラ５のレンズ２に入射される範囲内に透過領域を形成する。なお、本実施例では、レンズ２と平面的に重なる範囲内とする。さらに、その範囲内全域に渡って透過領域を形成することが好ましい。こうすれば、ビデオカメラ５に入射する透過光の光束が多くなり、例えば観察者の画像を高品質で撮影することができる。従って、ビデオカメラ５の前に位置する発光画素の発光を停止することなく表示面全面において画像を一様に表示しながら、表示部の表示面側に位置する観察者（被写体）を、表示部を透して撮影することができる。また、構造的な付加物も不要である。
【００４５】
次に、本実施例の表示パネル１００における具体的な画素構成について、図４を用いて説明する。図４は、表示パネル１００に形成されたＲ，Ｂ，Ｇの各発光画素（「Ｒ画素」、「Ｂ画素」、「Ｇ画素」と呼ぶ）と、非発光画素、および透過領域が形成された非発光画素（「透過画素」と呼ぶ）についての構成を示す模式図である。図４（ａ）は、図３に示した各画素のうち、行方向（図面横方向）にＲ画素、非発光画素、Ｂ画素、透過画素、Ｇ画素が並んだ部分を例示した平面図であり、図４（ｂ）は、図４（ａ）におけるＡ−Ａ’断面を示した模式断面図である。
【００４６】
図４（ａ）に示すように、各画素は、遮光膜ＢＭで区画され、陽極１３０の形状と略等しい略矩形形状の発光領域を呈している。そして各画素の画素領域には、図４（ｂ）に示したように、Ｒ，Ｂ，Ｇの各色フィルターが所定の配列で並んで形成されたカラーフィルターが、各発光領域と重なるように配置されている。
【００４７】
カラーフィルターは、光透過性を有するガラス板上に遮光膜ＢＭによって区分されたＲ（赤）フィルター、Ｂ（青）フィルター、Ｇ（緑）フィルターが形成されたもので、発光領域から射出された白色光を、このＲフィルター、Ｂフィルター、Ｇフィルターによって、それぞれＲ光、Ｂ光、Ｇ光に変換する。こうして、各発光領域の明るさに応じた色の光が射出されることによって、それぞれＲ画素、Ｂ画素、Ｇ画素を形成し、表示パネル１００はカラー画像を表示する。
【００４８】
なお、既に周知構造であることから具体的な説明は省略するが、カラーフィルターは、有機ＥＬ素子が形成される基板１０に対して所定の間隔を保ちながら、その外周部分において樹脂等を介して封止接着されている。また、各色フィルターや遮光領域ＢＭからのガスの流出を防止する透明な保護膜（不図示）が必要に応じて形成されている。
【００４９】
さて、前述したように、表示パネル１００は、陽極１３０と陰極１７０とに挟まれた有機ＥＬ素子１４０に電流を流すことによって発光する。従って、陽極１３０と陰極１７０とが平面的に重なる領域が電流の流れる領域であることから、発光領域はこの領域となる。そして、陽極１３０が形成されないこれ以外の領域であって遮光膜ＢＭによって平面的に区画された領域が、非発光領域（非発光画素）となる。
【００５０】
なお有機ＥＬ素子１４０は、陽極１３０側から正孔注入層、正孔輸送層、発光層、電子輸送層の各機能層が順に積層されたものである。各機能層は、例えば、アミン系有機材料などといった有機材料によって形成されている。また、発光層は、青色発光機能層と黄色発光機能層が積層され、発光領域から白色光を射出するように構成されている。
【００５１】
また、表示パネル１００は、トップエミッション方式であることから、有機ＥＬ素子１４０の発光光が陰極１７０側から射出するように、陽極１３０の基板１０と対向する面側には、電蝕等による陽極１３０の劣化を抑制するなどの目的のために形成された光透過性を有する絶縁層１２０を介して反射層１１０が形成されている。もとより、陽極１３０が反射層１１０を兼ねる場合は、反射層１１０（および絶縁層１２０）を形成する必要はない。
【００５２】
反射層１１０としては、例えばＡｌ（アルミニウム）が好適である。陽極１３０としては、ＩＴＯ（インジウムスズ酸化物）やＩＺＯ（インジウム亜鉛酸化物）のように光透過性のある材料に限らず、酸化錫や金、銀、銅などの光透過性のない材料であっても使用可能である。もとより、陰極１７０はＩＴＯやＩＺＯなどの光透過性を有する材料で形成されている。なお、金属材料であっても光が透過する程度に薄く形成されたものであれば陰極材料として使用することは可能である。
【００５３】
また、有機ＥＬ素子１４０を発光駆動するための駆動素子は、前述したように陽極１３０と平面的に重なる位置に形成されている。具体的には、図４（ｂ）に示したように、反射層１１０と基板１０との間に位置し表面全体が平坦化されたデバイス層２０の内部に、駆動素子であるＴＦＴ１４，１５や保持容量１６が形成されている。そして、ＴＦＴ１５のドレイン電極は、デバイス層２０および絶縁層１２０において形成された図示しないコンタクトホールによって陽極１３０と結線されている。なお、デバイス層２０については、本実施例においては本質ではないので、具体的な説明を省略する。
【００５４】
こうして、基板１０上にデバイス層２０、反射層１１０、陽極１３０、有機ＥＬ素子１４０、陰極１７０が形成され、陽極１３０と陰極１７０との間に電流を流すことによって、陽極１３０の領域に存在する有機ＥＬ素子１４０が白色発光するのである。
【００５５】
本実施例の非発光画素は、図４（ｂ）に示したように、カラーフィルターに形成された遮光膜ＢＭが延在して形成されている。こうすることによって、隣接する発光画素の発光光が非発光画素領域から漏れることを抑制して、非発光画素を黒色の表示を行う画素としている。なお、遮光膜ＢＭに替えて、反射層１１０を形成することとしてもよい。あるいは、遮光膜ＢＭおよび反射層１１０ともに形成しないこととしても差し支えない。
【００５６】
また透過画素は、基板１０において有機ＥＬ素子１４０が形成されず、且つカラーフィルターにおいてＲ，Ｇ，Ｂの色フィルターが形成されないようにすることで、形成されている。もとより、デバイス層２０は、図２に示した回路構成から明らかなように、基板１０において発光領域にのみ形成される。また基板１０は光透過性を有する材料（ガラス板など）で形成されている。
【００５７】
このように、本実施例の透過画素は、光を遮蔽する膜を形成しないようにすることで形成することができる。従って、ビデオカメラ５のレンズ２と平面的に重なる領域範囲に位置する非発光画素を総て透過画素にすれば、表示パネル１００の表示面側に位置する観察者（被写体）を、表示パネル１００を透して撮影することができる。また、構造的な付加物も不要である。
【００５８】
（第１実施例の変形例）
上記第１実施例では、表示パネル１００は、図２に示すように、表示面に形成される画素は、画素の長手方向を列方向とし、発光する発光画素と発光しない非発光画素とが行方向および列方向のそれぞれにおいて繰り返して配列された状態とした。従って、上記実施例では、透過画素を透過し、撮像素子３において結像する被写体の画像間隔が、行方向で細かく列方向で粗くなる。従って、ビデオカメラ５から出力される撮影画像信号は、行方向と列方向とで、異なる解像度の信号になる確率が高くなる。
【００５９】
そこで、上記第１実施例の変形例として、発光画素と非発光画素とを図５に示したように配列する。すなわち、図示するように、Ｒ（赤）、Ｇ（緑）、Ｂ（青）のそれぞれの発光色を有する３つの発光画素を、行方向に所定の色順（ここではＲ，Ｇ，Ｂの順）で並ぶように配列する。また同じく行方向に非発光画素を３つ並べて配列する。そして、３つの発光画素と３つの非発光画素とが、行方向および列方向に繰り返して存在するように配列するのである。
【００６０】
このように、Ｒ（赤）、Ｇ（緑）、Ｂ（青）の各色の発光画素を３つ並べることによって、各発光画素をサブ画素とする１つのカラー表示画素（「絵素」とも称す）として形成することができる。特に、３つのサブ画素が並んでできる絵素形状を正方形とすることが好ましい。こうすれば、行方向および列方向ともに同じ絵素ピッチとなり、特にカラー画像表示に適することになる。
【００６１】
そして、本変形例では、ビデオカメラ５のレンズ２と平面的に重なる領域範囲において、絵素間に位置する３つの非発光画素（サブ画素）を透過領域とするのである。こうすれば、レンズ２に入射する透過光の領域間隔は、行方向と列方向とで、ほぼ同じとすることができる。この結果、透過領域を透過し、撮像素子３において結像する被写体の画像間隔も、行方向と列方向とで同じになり、ビデオカメラ５から出力される撮影画像信号が、行方向と列方向とで同じ解像度の信号になる確率が高くなるのである。
【００６２】
なお、本変形例における発光画素と非発光画素の画素構成は、上記第１実施例における画素構成（図４参照）と同様であるので、ここでは説明を省略する。
【００６３】
（第２実施例）
次に、第２実施例を、図を参照しながら説明する。第２実施例は、第１実施例における非発光画素を形成せず、発光画素と透過画素のみを形成する例である。図６は、本実施例の表示パネル１００の全体のレイアウトを、回路構成とともに示した模式図である。本実施例においても、第１の方向を行方向（図面横方向）とし、第２の方向を列方向（図面縦方向）としている。
【００６４】
さて、本実施例の表示パネル１００は、上記第１実施例と異なり、図６に示すように、陽極１３０が配列形成された発光画素が、行方向および列方向において隣り合うように形成された表示面を有している。そして、その表示面の一部の領域において、行方向および列方向に隣接しないように陽極１３０が形成されない領域、つまり非発光画素が形成されている。このように、表示面の一部の領域は、行方向および列方向のそれぞれについて、発光する発光画素と発光しない非発光画素とが分散配置された状態で形成されている。
【００６５】
なお、図６において、表示パネル１００は、陽極１３０の配列に応じて、列方向（図面縦方向）に４画素分（４行分）、行方向（図面横方向）に９画素分（９列分）を図示しているが、これは第１実施例と同様説明を簡略化するためであって、もとより、通常、行列それぞれの方向に数百画素ないし数千画素といった多くの画素が形成されることは言うまでもない。
【００６６】
本実施例の表示パネル１００は、列方向に長手方向を有する略矩形形状であって、行方向に発光色がＲ，Ｇ，Ｂの順で繰り返し存在するＲ画素、Ｇ画素、Ｂ画素の各発光画素（不図示）が形成されている。各発光画素は、上記第１実施例と同様に、基板１０上の所定の領域に形成された陽極１３０と、有機ＥＬ素子、陰極１７０、およびカラーフィルター（不図示）とによって形成されている。また、表示パネル１００には、画素ごとに、有機ＥＬ素子を発光駆動するための駆動素子および駆動回路が形成されている。なお、これらの構成要素は、第１実施例と同様（図４（ｂ）参照）である。したがって、これらについての説明は省略する。
【００６７】
このように表示面に発光画素と非発光画素が配列形成された表示パネル１００において、本実施例は、図７に示したように透過領域を形成する。すなわち、一部の領域に配置形成された非発光画素の総ての領域を、表示面側から背面側に光が透過する透過領域として形成するのである。このように、非発光画素を透過領域とするので、表示パネル１００において撮像装置の前に位置する発光画素については、その発光を停止させることなく、表示パネル１００を透して被写体を撮影することができる。言い換えれば、非発光画素の画素領域を総て透過領域（透過画素）として形成するので、発光画素が減少することなく表示パネル１００に表示面側から背面側に光が透過する透過領域を設けることができる。従って、撮像装置の前に位置する画素の発光を停止することがなく表示面全面において画像を一様に表示しながら、表示パネル１００の表示面側に位置する観察者（被写体）を、表示パネル１００を透して撮影することができる。また、構造的な付加物も不要である。
【００６８】
もとより、上記第１実施例と同様に、透過画素は、この透過領域を透過する光がビデオカメラ５のレンズ２に入射される範囲内（例えば、レンズ２と平面的に重なる範囲内）に形成する。さらに好ましくは、その範囲全域に渡って形成することが好ましい。こうすれば、ビデオカメラ５に入射する透過光が多くなり、例えば観察者の画像を高品質で撮影することができるからである。なお、本実施例の透過画素の具体的な画素構成については、上記第１実施例において図４を用いて説明した構成と同様である。従って、透過画素の構成についての説明は省略する。
【００６９】
ところで、第２実施例は、透過領域が形成された一部の領域以外の領域に非発光画素が存在せず総て発光画素が形成されている。従って、上記第１実施例では、ビデオカメラ５のレンズ２と平面的に重なる一部の領域とそれ以外の領域における表示画像の解像度は同じであったが、第２実施例では、ビデオカメラ５のレンズ２と平面的に重なる範囲よりも解像度の高い画像を表示することになる。
【００７０】
言い換えれば、ビデオカメラ５のレンズ２と平面的に重なる一部の領域における発光画素の画素密度（解像度）は、それ以外の領域における発光画素の画素密度（解像度）よりも低くなる。この結果、ビデオカメラ５のレンズ２と平面的に重なる一部の領域における表示画像の明るさは、それ以外の領域における表示画像の明るさよりも低くなる。そこで、本実施例では、透過領域と隣り合う発光画素について、制御回路８によって発光輝度を上昇させるように制御する。
【００７１】
輝度の制御方法について、図７（ｂ）を用いて説明する。図７（ｂ）は、透過領域に隣接する発光画素のうち、透過領域が形成された非発光画素の位置に相当する発光色と同色であって、透過領域と隣り合う発光画素、つまり列方向に沿ってその両側に位置する発光画素の輝度を上昇させるのである。例えば、図中太枠で囲ったように、透過領域Ｔ１については、列方向に沿ってその両側に位置する発光画素Ｂ１，Ｂ２の輝度を上昇させるのである。こうすることによって、透過領域に発光画素が存在した場合に発光する輝度分相当を、近接する発光画素によって補償することができる。この結果、明るさの低下を補償した高品質の画像を表示することができる。
【００７２】
なお、輝度を上昇させる発光画素を、列方向に沿ってその両側に位置する発光画素のうちの少なくとも一方としても差し支えない。そして、輝度を上昇させる発光画素を一方とする場合は、走査線の選択順で遅い側、本変形例では、列方向で図面下側に位置する発光画素（例えば、発光画素Ｂ２）とすることが好ましい。こうすれば、透過領域となる非発光画素において表示（発光）すべき明るさの画像データ分を、次の走査線選択時において印加される電流に加えて補正することが容易になる。
【００７３】
（第２実施例の第１変形例）
上述したように、第２実施例では、表示パネル１００は、図６に示すように、画素の長手方向を列方向とし、行方向および列方向のそれぞれにおいて、発光画素と発光画素との間に配置された状態となる。従って、上記第１実施例と同様、第２実施例においても、透過領域を透過し撮像素子３において結像する被写体の画像間隔が、行方向で細かく、列方向で粗くなる。このため、ビデオカメラ５から出力される撮影画像信号は、行方向と列方向とで、異なる解像度の信号になる確率が高くなる。
【００７４】
そこで、上記第２実施例の第１変形例として、上記第１実施例の変形例と同様に、発光画素と非発光画素とを図８（ａ）に示したように配列する。すなわち、Ｒ（赤）、Ｇ（緑）、Ｂ（青）のそれぞれの発光色を有する３つの発光画素を、行方向に所定の色順（ここではＲ，Ｇ，Ｂの順）で並ぶように配列する。また同じく行方向に非発光画素つまり透過領域を３つ並べて配列する。そして、３つの発光画素と３つの非発光画素とが、行方向および列方向に繰り返して存在するように配列するのである。
【００７５】
このように配列することよって、Ｒ（赤）、Ｇ（緑）、Ｂ（青）の各色の発光画素が隣り合うように並んだ３つの発光画素は、各発光画素をサブ画素とする１つの画素（「発光絵素」とも呼ぶ）として形成することができる。また、発光画素間に位置する３つの非発光画素は、同じく各非発光画素をサブ画素とする１つの画素（「透過絵素」とも呼ぶ）として形成することができる。なお、発光絵素および透過絵素の形状を正方形とすることが好ましい。こうすれば、発光絵素は、行方向および列方向において同じピッチで形成されるので、カラー画像表示に適することになる。また、透過領域も行方向および列方向において同じピッチで形成されるので、レンズ２に入射する透過光の領域間隔は、行方向と列方向とで、ほぼ同じとすることができる。この結果、透過領域を透過し、撮像素子３において結像する被写体の画像間隔も、行方向と列方向とで同じになり、ビデオカメラ５から出力される撮影画像信号が、行方向と列方向とで同じ解像度の信号になる確率が高くなるのである。
【００７６】
なお、本変形例における発光画素と非発光画素の画素構成は、上記第１実施例における画素構成（図４参照）と同様であるので、ここでは説明を省略する。
【００７７】
ところで、本変形例においても、透過領域が形成された一部の領域以外の領域は総て発光絵素が形成されている。従って、上記第２実施例と同様に、ビデオカメラ５のレンズ２と平面的に重なる一部の領域における発光絵素の密度は、それ以外の領域における発光絵素の密度よりも低くなる。この結果、ビデオカメラ５のレンズ２と平面的に重なる一部の領域における表示画像の明るさは、それ以外の領域における表示画像の明るさよりも低くなる。そこで、本変形例においても、透過絵素と隣り合う発光絵素について、制御回路８によって発光輝度を上昇させるように制御することが好ましい。
【００７８】
輝度の制御の一例を、図８（ｂ）を用いて説明する。本変形例は、図示するように、透過領域に隣接する３つの発光絵素のうち、透過領域が形成された透過絵素と隣り合う発光絵素、つまり列方向に沿ってその両側に位置する発光絵素の輝度を上昇させるのである。例えば、図中太枠で囲ったように、透過絵素Ｔ２については、列方向に沿ってその両側に位置する発光絵素Ｐ１，Ｐ２の輝度を上昇させるのである。こうすることによって、透過絵素が発光絵素であった場合に発光する発光輝度分相当を、近接する発光絵素によって補うことができる。この結果、明るさの低下を抑制した高品質の画像を表示することができる。
【００７９】
なお、輝度を上昇させる発光絵素を、列方向に沿ってその両側に位置する発光絵素のうちの少なくとも一方としても差し支えない。そして、輝度を上昇させる発光絵素を一方とする場合は、走査線の選択順で遅い側、本変形例では、列方向で図面下側に位置する発光画素（例えば、発光絵素Ｐ２）とすることが好ましい。こうすれば、透過絵素において表示（発光）すべき明るさの画像データ分を、次の走査線選択時において印加される電流に加えて補正することができるので、補正が容易になる。
【００８０】
あるいは、輝度を上昇させる発光絵素を、行方向に沿ってその両側に位置する発光絵素のうちの少なくとも一方としてもよい。本変形例では、行方向において同じ配列順の発光色が形成された絵素が繰り返し形成されることから、輝度を上昇させる発光絵素を、行方向に沿ってその両側に位置する発光絵素のうちの少なくとも一方としても差し支えないからである。
【００８１】
（第２実施例の第２変形例）
上述したように、第２実施例では、透過領域を１つの画素（サブ画素）の全領域に形成した。このため、ビデオカメラ５のレンズ２と平面的に重なる一部の領域における発光画素の画素密度は、それ以外の領域における発光画素の画素密度よりも低くなってしまう。そこで、第２変形例として、形成する透過領域を１つの画素（サブ画素）の全領域でなく、一部分の領域としてもよい。
【００８２】
すなわち、表示パネル１００の表示面において、行方向および列方向ともに、総て陽極１３０を形成して発光画素を配列形成する。そして、ビデオカメラ５のレンズ２と平面的に重なる一部の領域における発光画素について、透過領域を画素の全領域でなく、一部分の領域に形成するのである。この構成によれば、発光画素の領域がビデオカメラ５のレンズ２と平面的に重なる一部の領域において、発光画素の画素密度を高めることができる。
【００８３】
本変形例による表示パネル１００の一例を、図９（ａ）に示した。図示するように本変形例は、ビデオカメラ５のレンズ２と平面的に重なる一部の領域における発光画素について、透過領域を、画素の全領域でなく、画素の長手方向である列方向に沿って半分もしくは半分以下の領域に形成する。そして、透過領域が、行方向および列方向において、互いに重ならないように形成する。すなわち、透過領域の形成位置を、一列ごとに、行方向において発光画素の領域の反対側とすることによって、透過領域を所謂市松模様の配列状態にするのである。
【００８４】
透過領域が形成された本変形例の発光画素について、その画素構成を図９（ｂ）に示した。図９（ｂ）は、図９（ａ）におけるＣ−Ｃ線に沿った断面図である。ここでは、Ｒ光の発光画素について、その構成を示しているが、Ｇ光およびＢ光の発光画素についても同様である。なお、Ｒ光、Ｇ光、Ｂ光それぞれの発光画素の画素構成は、上記第１実施例における画素構成（図４参照）と同様である。
【００８５】
図示するように、透過領域が形成されたＲ光の１つの発光画素において、透過領域は、有機ＥＬ素子１４０およびＲフィルターを形成しないことで形成されている。そして、内部に駆動素子であるＴＦＴ１４，１５や保持容量１６が形成されているデバイス層２０については、Ｒ光の１つの発光画素における発光領域と平面的に重なる範囲に形成されている。この結果、透過領域においては、平面的に重なる材料層が、総て光透過性を有する材料層となり、表示パネルの表示面側（図面上側）からの光を、表示パネルの背面側に透過させることができる。
【００８６】
ここで、本変形例において透過領域の形成領域は小さくなるものの、上記第２実施例と同様に、ビデオカメラ５のレンズ２と平面的に重なる一部の領域における発光領域の占有密度は、それ以外の領域における発光領域の占有密度よりも低くなる。この結果、ビデオカメラ５のレンズ２と平面的に重なる一部の領域における表示画像の明るさは、それ以外の領域における表示画像の明るさよりも暗くなる。そこで、本変形例においても、透過領域と隣り合う発光画素の発光領域について、制御回路８によって発光輝度を上昇させるように制御することが好ましい。
【００８７】
発光輝度の制御の一例を、図１０を用いて説明する。本変形例では、図１０（ａ）に示すように、透過領域に隣接する発光画素のうち、透過領域と隣り合う発光領域を有する発光画素、つまり列方向に沿ってその両側に位置する太線で囲んだ発光画素の輝度を上昇させるのである。例えば、図中太枠で囲ったように、透過領域Ｔ３については、列方向に沿ってその両側に位置する発光画素Ｇ１，Ｇ２の輝度を上昇させるのである。また、透過領域Ｔ４については、列方向に沿ってその両側に位置する発光画素Ｇ２，Ｇ３の輝度を上昇させるのである。こうすることによって、透過領域が発光領域であった場合に発光する輝度分相当を、透過領域に近接する発光画素によって補償することができる。この結果、明るさの低下を補償した高品質の画像を表示することができる。
【００８８】
なお図１０（ａ）において、１つの透過領域について、列方向に沿ってその両側に位置する２つの発光画素の発光領域面積が異なる場合が存在する。例えば透過領域Ｔ４では、発光画素Ｇ２と発光画素Ｇ３の発光領域面積が異なる。このような場合、２つの発光画素について、それぞれの発光輝度について上昇すべき輝度分の制御が複雑になる。
【００８９】
そこで、本変形例では、図１０（ｂ）に示すように、透過領域が一部に形成された発光画素において、透過領域以外に形成される発光領域の発光輝度を、透過領域によって減少する輝度分上昇させるようにしてもよい。例えば透過領域Ｔ３については、透過領域Ｔ３によって減少する輝度分、発光画素Ｇ１の輝度を上昇させる。また、透過領域Ｔ４については、透過領域Ｔ４によって減少する輝度分、発光画素Ｇ２の輝度を上昇させるのである。こうすれば、透過領域が形成された発光画素のみで輝度補正が出来るので、例えば、１つの発光画素において、形成された透過領域と発光領域との割合に応じて上昇すべき輝度分を設定するなど、輝度の補正制御が容易になる。
【００９０】
（第２実施例の第３変形例）
さらに、上述した第２実施例の第２変形例を、上記第２実施例の第１変形例に適用することとしてもよい。すなわち、表示パネル１００の表示面に配列形成された発光絵素について、ビデオカメラ５のレンズ２と平面的に重なる一部の領域における発光画素について、透過領域を絵素の全領域でなく、一部分の領域に形成するのである。この構成によれば、ビデオカメラ５のレンズ２と平面的に重なる一部の領域において、発光絵素の発光領域の占有密度を高めることができる。また、この構成によれば、赤、緑、青のそれぞれの発光色を有する３つのサブ画素について、同一面積で透過領域を形成するので均等に発光領域が減少する。この結果、表示面に表示するカラー画像のホワイトバランスが崩れるリスクを回避することもできる。
【００９１】
本変形例による表示パネル１００の一例を、図１１（ａ）に示した。図示するように本変形例は、ビデオカメラ５のレンズ２と平面的に重なる一部の領域における発光絵素について、透過領域を、絵素の全領域でなく、各発光画素の長手方向である列方向に沿って、それぞれ二分の一の領域に形成する。このとき、透過領域が、行方向および列方向において、互いに絵素間で重ならないように形成する。すなわち、透過領域の形成位置を、絵素の一列ごとに、列方向において反対側とすることによって、各透過領域を所謂市松模様の配列状態にするのである。
【００９２】
なお、透過領域が形成された本変形例の発光絵素について、絵素内のＲ画素、Ｇ画素、Ｂ画素それぞれの発光画素の画素構成は、上記第２実施例の第２変形例における画素構成（図９参照）と同様である。
【００９３】
また、本変形例においても、透過領域の形成領域は小さくなるものの、上記第２実施例と同様に、ビデオカメラ５のレンズ２と平面的に重なる一部の領域における発光領域の占有密度は、それ以外の領域における発光領域の占有密度よりも低くなる。この結果、ビデオカメラ５のレンズ２と平面的に重なる一部の領域における表示画像の明るさは、それ以外の領域における表示画像の明るさよりも暗くなる。そこで、本変形例においても、透過領域と隣り合う発光領域を有する発光画素について、制御回路８によって発光輝度を上昇させるように制御することが好ましい。
【００９４】
発光輝度の制御の一例を、図１１（ｂ）を用いて説明する。本変形例では、図示するように、行方向の両側と列方向の両側の４つの隣接部のうち、少なくとも２つの隣接部において透過領域と接する図中太枠で囲った発光絵素の輝度を上昇させるのである。例えば、４つの隣接部が透過領域と接する発光絵素Ｐ５、３つの隣接部が透過領域と接する発光絵素Ｐ６、２つの隣接部が透過領域と接する発光絵素Ｐ７である。こうすることによって、本来透過領域に発光絵素が存在した場合に発光する輝度分を、近接する発光絵素によって補償することができる。この結果、明るさの低下を補償した高品質の画像を表示することができる。
【００９５】
なお、輝度を上昇させる発光絵素を、列方向に沿ってその両側に位置する発光絵素のうちの少なくとも一方としても差し支えない。そして、輝度を上昇させる発光絵素を一方とする場合は、走査線の選択順で遅い側、本変形例では、列方向で図面下側に位置する発光画素とすることが好ましい。例えば、透過領域Ｔ５については発光絵素Ｐ８の発光輝度を上昇して補正する。こうすれば、透過領域Ｔ５において表示（発光）すべき明るさの画像データ分を、次の走査線選択時において印加される電流に加えて補正することができるので、補正が容易になる。
【００９６】
あるいは、輝度を上昇させる発光絵素を、行方向に沿ってその両側に位置する発光絵素のうちの少なくとも一方としてもよい。本変形例では、行方向において同じ配列順の発光色が形成された絵素が繰り返し形成されることから、輝度を上昇させる発光絵素を、行方向に沿ってその両側に位置する発光絵素のうちの少なくとも一方としても差し支えないからである。
【００９７】
あるいは、透過領域が一部に形成された発光絵素において、透過領域以外に形成される発光領域の発光輝度を、透過領域によって減少する輝度分上昇させるようにしてもよい。例えば、図１１（ｂ）において示した透過領域Ｔ５については、透過領域Ｔ５によって減少する輝度分、発光絵素Ｐ５の輝度を上昇させる。こうすれば、透過領域が形成された発光絵素のみで輝度補正が出来るので、例えば、１つの発光絵素において、形成された透過領域と発光領域との割合に応じて上昇すべき輝度分を設定するなど、輝度の補正制御が容易になる。
【００９８】
（第２実施例の第４変形例）
さて、上記第２実施例の表示パネル１００は、図７または図８に示すように、ビデオカメラ５のレンズ２と平面的に重なる領域において形成された透過領域が、行方向および列方向において重ならないように形成されるものとした。すなわち、ビデオカメラ５のレンズ２と平面的に重なる領域における発光領域の密度を高めるため、透過領域の形成位置を、発光画素の一列ごと、もしくは発光絵素の一列ごとに、列方向において反対側とすることによって、各透過領域を市松模様の配列状態としたものである。
【００９９】
本変形例では、ビデオカメラ５のレンズ２と平面的に重なる領域における発光領域の密度を更に高めるため、図１２に示したように透過領域を形成する。すなわち、発光画素間に透過領域を形成する場合は、図１２（ａ）に示したように、透過領域の形成を、発光画素の各列ではなく一列置きに、また発光画素の各行ではなく一行置きにするのである。あるいは、発光絵素間に透過領域を形成する場合は、図１２（ｂ）に示したように、透過領域の形成を、発光絵素の各列ではなく一列置きに、また発光絵素の各行ではなく一行置きにするのである。
【０１００】
このように表示面に発光画素と非発光画素（透過領域）が配列形成された表示パネル１００では、表示パネル１００を透過する光（光束）は少なくなるものの、レンズ２と平面的に重なる領域に位置する発光画素の画素密度が、上記第２実施例よりも高くなる。従って、本変形例は、アイコンタクトを実現すると同時に、表示面に表示する画像の表示品質を、レンズ２と平面的に重なる領域とそれ以外の領域とにおいて同じ品質とする場合に有効である。
【０１０１】
もとより、本変形例において、透過領域を、発光画素の一列置きや一行置きに形成することに限るものでなく、また、発光絵素の一列置きや一行置きに形成することに限るものでない。例えば、透過領域を、二列置きや三列置き、あるいは二行置きや三行置きに形成することとしてもよい。要は、ビデオカメラ５が撮影する被写体の映像の解像度と、ビデオカメラ５のレンズ２と平面的に重なる領域において表示面に表示される画像の解像度との兼ね合いから、表示面にける透過領域の形成パターンを決定することが好ましい。
【０１０２】
以上、本発明について、実施形態および実施例を用いて説明したが、本発明はこうした実施形態および実施例に何ら限定されるものではなく、本発明の趣旨を逸脱しない範囲内において様々な形態で実施し得ることは勿論である。
【０１０３】
例えば、図１３に示すように、上記実施形態の表示装置１において、ビデオカメラ５が表示パネル１００の裏面において密接するように配置することが好ましい。こうすれば、表示パネル１００に形成された透過領域とビデオカメラ５のレンズ２（撮像素子３）との距離が短くなるので、透過領域の形状は、レンズ２によって撮像素子３上で結像することなく、ぼやけたデフォーカス状態になる。この結果、透過領域の形状の影響を抑制しつつ、透過領域を透過する光によって、観察者（被写体）の画像を撮影することができる。
【０１０４】
さらに、ビデオカメラ５の密接部分（例えばレンズ２の筐体部分５ｃ）と平面的に重なる領域以外の表示領域において、表示パネル１００の裏面側から表示面側に光が透過しないように、遮光手段としての遮光板９を備えることとしてもよい。こうすれば、ビデオカメラ５のレンズ２の筐体部分５ｃが、表示パネル１００の背面と密接することによって、表示パネル１００の背面側から表示面側の表示領域に入射する光をカットするのと同等に、表示パネル１００の表示領域において背面から入射する光を、遮光板９によってカットすることができる。この結果、表示面全体を同じ表示状態とすることができる。
【０１０５】
また、上記実施形態では、白色の発光光をカラーフィルターでＲ，Ｇ，Ｂの各色に変換する構成としたが、これに限るものでないことは勿論である。例えば、１つの画素領域が樹脂などによる隔壁によって区画され、区画された画素領域に各色の発光材料を含む機能液が塗布および乾燥処理されて、各色の発光層が形成される構成としてもよい。このとき、各画素間において光を遮蔽する遮蔽膜ＢＭを必ずしも形成する必要はない。
【０１０６】
また、上記実施形態では、発光画素がＲ，Ｇ，Ｂの各色を発光する発光画素であることとしたが、モノクロ（例えば白黒）を表示する単色の発光素子からなる発光画素としてもよい。表示装置１がモノクロの画像を表示する場合においても、本発明を適用することができるからである。
【０１０７】
また、上記実施形態では、発光画素の長手方向を列方向としたが、長手方向が行方向であっても勿論よい。また、発光画素の形状を略矩形形状としたが、特にこれに限らず、長円形状やひし形であってもよい。あるいは、発光画素の形状が長手方向を持たない正方形や円形であっても差し支えない。これらについても、本発明を同様に適用することができる。
【０１０８】
また、上記実施形態では、表示素子として有機ＥＬ素子を形成する場合を説明したが、自発光素子として機能するものであれば、必ずしもこれに限るものでないことは勿論である。例えば無機ＥＬ素子であってもよい。更に、プラズマディスプレイＰＤＰや、発光ダイオードＬＥＤを表示素子としてもよい。これらについても、本発明を同様に適用することができる。
【０１０９】
また、本発明を、上記実施形態の表示装置１を備えた電子機器として捉えることとしてもよい。電子機器の一例として、例えば、ＴＶ電話器が好適である。上記実施形態の表示装置１を備えることによって、表示パネル１００を透して被写体の画像を撮影することができるので、アイコンタクトを実現できるＴＶ電話器を提供することができる。もとより、アイコンタクトを必要とし、表示部を有する電子機器であれば、ＴＶ電話に限らず、例えばパーソナルコンピューターや、テレビジョンであってもよい。
【符号の説明】
【０１１０】
１…表示装置、２…レンズ、３…撮像素子、５…ビデオカメラ、５ｃ…筐体部分、８…制御回路、９…遮光板、１０…基板、１１…走査線駆動回路、１２…データ線駆動回路、１３…給電端子、１４…ＴＦＴ、１５…ＴＦＴ、１６…保持容量、２０…デバイス層、１００…表示パネル、１１０…反射層、１２０…絶縁層、１３０…陽極、１４０…有機ＥＬ素子、１７０…陰極。
【図１】
2010230797.tif 000003
【図２】
2010230797.tif 000004
【図３】
2010230797.tif 000005
【図４】
2010230797.tif 000006
【図５】
2010230797.tif 000007
【図６】
2010230797.tif 000008
【図７】
2010230797.tif 000009
【図８】
2010230797.tif 000010
【図９】
2010230797.tif 000011
【図１０】
2010230797.tif 000012
【図１１】
2010230797.tif 000013
【図１２】
2010230797.tif 000014
【図１３】
2010230797.tif 000015